(57)【要約】【課題】特別な専用部材を使用することなく、簡単な構成で、モータに対する磁界の影響を低減する。【解決手段】アナログ電子時計ムーブメントの地板３０１には、時刻針駆動用のステッピングモータ１０８、カレンダ駆動用のステッピングモータ１０９、クロノグラフ針駆動用のステッピングモータ１１０が収容され、ステッピングモータ１１０は電池押え３０３を介して電池缶３０２に接続されている。ステッピングモータ１１０を、電池缶３０２及び電池押え３０３を介して他のステッピングモータ１０８、１０９より多くの外部磁界が通るように配設することによって他のステッピングモータが受ける外部磁界の影響を低減すると共に、ステッピングモータ１１０の駆動力をステッピングモータ１０８、１０９よりも大きくすることにより外部磁界が存在してもステッピングモータ１１０の回転駆動を安定化させている。【選択図】  図３
2012150094.tif 000002
【特許請求の範囲】
【請求項１】
複数の表示部材を回転駆動する複数のモータをムーブメントに搭載して成るアナログ電子時計において、
前記複数のモータ以外に外部磁界が通る磁性部材を有し、
特定のモータは、前記磁性部材を介して他のモータより多くの外部磁界が通るように配設されると共に、前記他のモータよりも駆動力を強くされて成ることを特徴とするアナログ電子時計。
【請求項２】
前記特定のモータの駆動エネルギを他のモータよりも大きくして成ることを特徴とする請求項１記載のアナログ電子時計。
【請求項３】
磁界を検出する磁界検出手段と、
前記磁界検出手段が所定強度以上の磁界を検出したとき、前記特定のモータの駆動エネルギが前記他のモータよりも大きくなるように制御する制御手段とを備えて成ることを特徴とする請求項２記載のアナログ電子時計。
【請求項４】
前記各モータは、磁心と、前記磁心に巻回された駆動コイルと、前記駆動コイルに電流を供給することによって生じる磁界に基づいて回転するロータとを有して成り、
前記特定のモータは前記他のモータよりも前記磁心の磁気抵抗を小さくすることによって駆動力が大きくなるように構成されて成ることを特徴とする請求項１記載のアナログ電子時計。
【請求項５】
前記特定のモータは、他のモータよりも磁心の断面積を大きくすることによって前記磁心の磁気抵抗が小さくなるように構成されて成ることを特徴とする請求項４記載のアナログ電子時計。
【請求項６】
前記特定のモータは、他のモータよりも磁心を短くすることによって前記磁心の磁気抵抗が小さくなるように構成されて成ることを特徴とする請求項４記載のアナログ電子時計。
【請求項７】
前記各モータは、磁心と、前記磁心に巻回された駆動コイルと、前記駆動コイルに電流を供給することによって生じる磁界に基づいて回転するロータとを有して成り、
前記特定のモータは、前記他のモータよりもコイルの巻数が多く構成されることによって、前記他のモータよりも駆動力が大きくなるように構成されて成ることを特徴とする請求項１記載のアナログ電子時計。
【請求項８】
前記各モータは、磁心と、前記磁心に巻回された駆動コイルと、円柱型のロータ磁石を有し前記駆動コイルに電流を供給することによって生じる磁界に基づいて回転するロータとを備えて成り、
前記特定のモータは、前記他のモータよりもコギングトルクが小さく構成されることによって、前記他のモータよりも駆動力が大きくなるように構成されて成ることを特徴とする請求項１記載のアナログ電子時計。
【請求項９】
前記特定のモータは、前記他のモータよりも前記ロータ磁石の体積が小さく構成されることによって、前記他のモータよりもコギングトルクが小さくなるように構成されて成ることを特徴とする請求項８記載のアナログ電子時計。
【請求項１０】
前記特定のモータは、前記他のモータよりも前記ロータ磁石の外径を小さくする、厚みを薄くする又は回転軸が通る孔の内径を大きくするの少なくとも一つを実施することによって前記ロータ磁石の体積が小さくなるように構成されて成ることを特徴とする請求項９記載のアナログ電子時計。
【請求項１１】
前記特定のモータは、前記他のモータよりも前記ロータ磁石の磁石エネルギの小さい材料で構成されることによって、前記他のモータよりもコギングトルクが小さくなるように構成されて成ることを特徴とする請求項８乃至１０のいずれか一に記載のアナログ電子時計。
【請求項１２】
前記各モータは、磁心と、前記磁心に巻回された駆動コイルと、前記磁心に接続されロータを回転可能に収容するロータ収容用貫通孔及び前記ロータを所定位置に保持するためのノッチを有するステータと、前記駆動コイルに電流を供給することによって生じる磁界に基づいて回転する前記ロータとを有して成り、
前記特定のモータは、前記他のモータよりも前記ノッチが小さく構成されることによって前記他のモータよりもコギングトルクが小さくなるように構成され、これにより前記他のモータよりも駆動力が大きくなるように構成されて成ることを特徴とする請求項１記載のアナログ電子時計。
【請求項１３】
前記各モータは、磁心と、前記磁心に巻回された駆動コイルと、前記磁心に接続されロータを回転可能に収容するロータ収容用貫通孔及び前記ロータを所定位置に保持するためのノッチを有するステータと、前記駆動コイルに電流を供給することによって生じる磁界に基づいて回転する前記ロータとを有して成り、
前記特定のモータは、前記他のモータよりも前記ロータ収容用貫通孔が大きく構成されることによって前記他のモータよりもコギングトルクが小さくなるように構成され、これにより前記他のモータよりも駆動力が大きくなるように構成されて成ることを特徴とする請求項１記載のアナログ電子時計。
【請求項１４】
前記各モータは、磁心と、前記磁心に巻回された駆動コイルと、前記駆動コイルに電流を供給することによって生じる磁界に基づいて回転するロータとを有して成り、
前記特定のモータは、前記他のモータよりも磁心が磁気的に効率の良い材料で構成されることによって、前記他のモータよりも駆動力が大きくなるように構成されて成ることを特徴とする請求項１記載のアナログ電子時計。
【請求項１５】
前記特定のモータは、磁心が、飽和磁束密度又は透磁率の少なくとも一方が前記他のモータよりも大きい材料で構成されることによって、前記他のモータよりも駆動力が大きくなるように構成されて成ることを特徴とする請求項１４記載のアナログ電子時計。
【請求項１６】
前記特定のモータは、前記磁性部材に直接又は磁性材料を介して間接的に接続されて成ることを特徴とする請求項１乃至１５のいずれか一に記載のアナログ電子時計。
【請求項１７】
前記特定のモータは、前記他のモータよりも前記磁性部材により近接して配設されて成ることを特徴とする請求項１乃至１６のいずれか一に記載のアナログ電子時計。
【請求項１８】
前記磁性部材は、磁性材料によって形成された電池缶であることを特徴とする請求項１乃至１７のいずれか一に記載のアナログ電子時計。
【請求項１９】
前記磁性部材は、磁性材料によって形成された回路押えであることを特徴とする請求項１乃至１７のいずれか一に記載のアナログ電子時計。
【請求項２０】
前記特定のモータは常時駆動されるモータではなく、前記他のモータには常時駆動されるモータが含まれて成ることを特徴とする請求項１乃至１９のいずれか一に記載のアナログ電子時計。
【請求項２１】
前記特定のモータが回転駆動する表示部材はクロノグラフ針又はカレンダであり、前記常時駆動される他のモータによって駆動される表示部材は時刻針であることを特徴とする請求項２０記載のアナログ電子時計。
【発明の詳細な説明】
【技術分野】
【０００１】
本発明は、時刻針等の表示部材をモータによって回転駆動するアナログ電子時計に関し、特に、複数の表示部材を駆動する複数のモータを備えたアナログ電子時計に関する。
【背景技術】
【０００２】
従来から、時刻針やカレンダ等の表示部材によって時刻や日付等を表示するアナログ電子時や、計測時間を表示部材であるクロノグラフ針によって表示するクロノグラフ時計等、時刻針、カレンダ、クロノグラフ針等の複数の表示部材を複数のモータによって回転駆動するようにしたアナログ電子時計が利用されている。
図７は、従来からアナログ電子時計に使用されているステッピングモータのコイルブロック３０４を示す図で、同図（ａ）は平面図、同図（ｂ）は正面図である。図７において、コイルブロック３０４は、磁心２０８及び磁心２０８に巻回されたモータ駆動用のコイル２０９を備えている。コイルブロック３０４は、コイルブロック３０４と磁気回路を構成するステータとともに、ねじ孔４０１を介してアナログ電子時計ムーブメントの地板にねじ止めして使用される。
【０００３】
特許文献１には、前述したステッピングモータや発電機など複数の転換機を備えたアナログ電子時計において、磁界の影響を受けても機能できるようにした発明が記載されている。
特許文献１記載の発明では、２つの磁気回路相互の影響を低減するために、２つのコイルをほぼ直角に配置している。
磁界の影響を受け難くする方法としては、コイル磁心の断面積を大きくして磁気飽和の余裕度を大きくする方法や、磁界が存在する場合に、無磁界時の駆動パルスよりもエネルギの大きい駆動パルス（例えば補正駆動パルス）によって駆動する方法等が一般的である。
【０００４】
しかしながら、アナログ電子時計が２個以上のコイルを有する場合、アナログ電子時計のムーブメント内で各磁気回路を直角に配設することは、レイアウト上の制約が大きいという問題がある。
また、全てのステッピングモータのコイル磁心断面積を大きくする方法も考えられるが、モータ容積が増大するという問題がある。
また、各モータを磁性材料によって遮蔽して磁気シールドすることも考えられるが、アナログ電子時計の限られたスペース内に磁気シールド専用部材を配設すると、小型化が困難になるという問題がある。
【先行技術文献】
【特許文献】
【０００５】
【特許文献１】特開平９−１０５７８６号公報
【発明の概要】
【発明が解決しようとする課題】
【０００６】
本発明は、前記問題点に鑑み成されたもので、特別な専用部材を使用することなく、簡単な構成で、モータに対する磁界の影響を低減することを課題としている。
【課題を解決するための手段】
【０００７】
本発明によれば、複数の表示部材を回転駆動する複数のモータをムーブメントに搭載して成るアナログ電子時計において、前記複数のモータ以外に外部磁界が通る磁性部材を有し、特定のモータは、前記磁性部材を介して他のモータより多くの外部磁界が通るように配設されると共に、前記他のモータよりも駆動力を強くされて成ることを特徴とするアナログ電子時計が提供される。
【発明の効果】
【０００８】
本発明に係るアナログ電子時計によれば、特別な専用部材を使用することなく、簡単な構成で、モータに対する磁界の影響を低減することが可能になる。
【図面の簡単な説明】
【０００９】
【図１】本発明の実施の形態に係るアナログ電子時計のブロック図である。
【図２】本発明の実施の形態に係るアナログ電子時計に使用するステッピングモータの基本構成図である。
【図３】本発明の第１の実施の形態に係るアナログ電子時計のムーブメントを示す平面図である。
【図４】本発明の第１の実施の形態に係るアナログ電子時計に使用するステッピングモータの部分構成図である。
【図５】本発明の第２の実施の形態に係るアナログ電子時計に使用するステッピングモータの部分構成図である。
【図６】本発明の第３の実施の形態に係るアナログ電子時計のムーブメントを示す平面図である。
【図７】従来のアナログ電子時計に使用されているステッピングモータの部分構成図である。
【図８】本発明の第４の実施の形態に係るアナログ電子時計に使用するステッピングモータの部分構成図である。
【図９】従来のアナログ電子時計に使用されているステッピングモータのロータを示す側面図である。
【図１０】本発明の第５の実施の形態に係るアナログ電子時計に使用するステッピングモータのロータを示す側面図である。
【図１１】本発明の第６の実施の形態に係るアナログ電子時計に使用するステッピングモータのロータを示す側面図である。
【図１２】本発明の第７の実施の形態に係るアナログ電子時計に使用するステッピングモータのロータを示す側面図である。
【図１３】従来のアナログ電子時計に使用されているステッピングモータのステータを示す部分平面図である。
【図１４】本発明の第８の実施の形態に係るアナログ電子時計に使用するステッピングモータのステータを示す部分平面図である。
【図１５】本発明の第９の実施の形態に係るアナログ電子時計に使用するステッピングモータのステータを示す部分平面図である。
【発明を実施するための形態】
【００１０】
以下、本発明の実施の形態に係るアナログ電子時計について説明する。尚、各図において、同一部分には同一符号を付している。また、図１では、時間計測の開始や停止などを指示する操作部を省略して描いている。
図１は、本発明の実施の形態に係るアナログ電子時計のブロック図で、クロノグラフ時計の例を示しており、後述する各実施の形態に共通するブロック図である。
図１において、アナログ電子時計は、ステッピングモータ制御回路１０２によって回転駆動される複数（本実施の形態では３つ）のステッピングモータ１０８、１０９、１１０、ステッピングモータ制御回路１０２やステッピングモータ１０８〜１１０等の回路要素に駆動電力を供給する電源としての電池１０１を備えている。
【００１１】
ステッピングモータ１０８は、時刻表示用の時刻針（図示せず）を回転駆動するステッピングモータである。ステッピングモータ１０９は、カレンダ機構（図示せず）を回転駆動するステッピングモータである。また、ステッピングモータ１１０は、計測時間表示用のクロノグラフ針（図示せず）を回転駆動するステッピングモータである。
ステッピングモータ制御回路１０２は、所定周波数の信号を発生する発振回路１０３、発振回路１０３で発生した信号を分周して計時の基準となる時計信号を発生する分周回路１０４、電子時計を構成する各電子回路要素の制御や駆動パルスの変更制御等の制御を行う制御回路１０５、制御回路１０５からの制御信号に基づいてステッピングモータ１０８〜１１０にモータ回転駆動用の駆動パルスを選択し出力するステッピングモータ駆動パルス回路１０６、外部磁界を検出する磁界検出回路１０７を備えている。
ステッピングモータ制御回路１０２は１つの集積回路（ＩＣ）及び発振回路１０３を構成する水晶振動子（図示せず）によって構成されている。
ここで、発振回路１０３及び分周回路１０４は信号発生手段を構成している。また、制御回路１０５は制御手段を構成し、磁界検出回路１０７は磁界検出手段を構成している。
【００１２】
図２は、本発明の実施の形態に使用するステッピングモータの原理的な構成を示す基本構成図で、ステッピングモータ１０８〜１１０に共通する基本構成図である。図２には、アナログ電子時計で一般に用いられている２極ＰＭ型ステッピングモータの例を示している。
図２において、ステッピングモータ１０８（以下、ステッピング１０８を代表的に記載するが、基本構成は他のステッピングモータ１０９、１１０も同じである。）は、ロータ収容用貫通孔２０３を有するステータ２０１、ロータ収容用貫通孔２０３に回転可能に配設されたロータ２０２、ステータ２０１と接合された磁心２０８、磁心２０８に巻回されたステッピングモータ駆動用のコイル２０９を備えている。ステッピングモータ１０８をアナログ電子時計に用いる場合には、ステータ２０１及び磁心２０８はネジ等（図示せず）によって地板（図示せず）に固定され、互いに接合される。コイル２０９は、第１端子ＯＵＴ１、第２端子ＯＵＴ２を有している。
【００１３】
ロータ２０２は、２極（Ｓ極及びＮ極）に着磁されている。磁性材料によって形成されたステータ２０１の外端部には、ロータ収容用貫通孔２０３を挟んで対向する位置に複数（本実施の形態では２個）の切り欠き部（外ノッチ）２０６、２０７が設けられている。各外ノッチ２０６、２０７とロータ収容用貫通孔２０３間には可飽和部２１０、２１１が設けられている。
【００１４】
可飽和部２１０、２１１は、ロータ２０２の磁束によっては磁気飽和せず、コイル２０９が励磁されたときに磁気飽和して磁気抵抗が大きくなるように構成されている。ロータ収容用貫通孔２０３は、輪郭が円形の貫通孔の対向部分に複数（本実施の形態では２つ）の半月状の切り欠き部（内ノッチ）２０４、２０５を一体形成した円孔形状に構成されている。
【００１５】
切り欠き部２０４、２０５は、ロータ２０２の停止位置を決めるための位置決め部を構成している。コイル２０９が励磁されていない状態では、ロータ２０２は、図２に示すように前記位置決め部に対応する位置、換言すれば、ロータ２０２の磁極軸Ａが、切り欠き部２０４、２０５を結ぶ線分と直交するような位置（角度θ０位置）に安定して停止している。
【００１６】
いま、ステッピングモータ駆動パルス回路１０６から矩形波の第１極性（例えば、第１端子ＯＵＴ１側を正極、第２端子ＯＵＴ２側を負極）の駆動パルスをコイル２０９の端子ＯＵＴ１、ＯＵＴ２間に供給して、図２の矢印方向に電流ｉを流すと、磁心２０８及びステータ２０１には破線矢印方向に磁束が発生する。これにより、可飽和部２１０、２１１が飽和して磁気抵抗が大きくなり、その後、ステータ２０１に生じた磁極とロータ２０２の磁極との相互作用によって、ロータ２０２は図２の矢印方向に１８０度回転し、磁極軸が角度θ１位置で安定的に停止する。尚、ステッピングモータ１０８を回転駆動することによって通常動作（本実施の形態ではアナログ電子時計であるため運針動作やカレンダ送り動作）を行わせるための回転方向（図２では反時計回り方向）を正方向とし、その逆（時計回り方向）を逆方向としている。
【００１７】
次に、ステッピングモータ駆動パルス回路１０６から、前記第１極性とは異なる第２極性（前記駆動とは逆極性となるように、第１端子ＯＵＴ１側を負極、第２端子ＯＵＴ２側を正極）の矩形波の駆動パルスをコイル２０９の端子ＯＵＴ１、ＯＵＴ２に供給して、図２の反矢印ｉ方向に電流を流すと、ステータ２０１には反破線矢印方向に磁束が発生する。これにより、可飽和部２１０、２１１が先ず飽和し、その後、ステータ２０１に生じた磁極とロータ２０２の磁極との相互作用によって、ロータ２０２は前記と同一方向（正方向）に１８０度回転し、磁極軸Ａが角度θ０位置で安定的に停止する。
【００１８】
以後、このように、コイル２０９に対して極性の異なる駆動信号（交番信号）を供給することによって、前記動作が繰り返し行われて、ロータ２０２を１８０度ずつ矢印方向に連続的に回転させることができるように構成されている。
尚、本実施の形態では、駆動パルスとして、後述するように、相互に駆動エネルギの異なる複数の駆動パルスを用いており、所定強度以上の外部磁界が存在する場合には、特定のモータであるステッピングモータ１１０を、他のモータであるステッピングモータ１０８、１０９よりもエネルギの大きい所定駆動パルスを用いて駆動するように構成している。また、ステッピングモータ１１０を、外部磁界が存在しない場合よりもエネルギの大きい所定駆動パルスを用いて駆動するように構成している。このようにして、駆動の面からも、特定のステッピングモータ１１０の駆動力が他のステッピングモータ１０８、１０９よりも大きくなるように構成している。
【００１９】
図３は、本発明の第１の実施の形態に係るアナログ電子時計の内部を示す平面図である。
図３において、３０１はアナログ電子時計ムーブメントの地板、３０２は電池１０１の電池缶、３０３は電池押え、３０５は巻真である。電池押え３０３は、ねじ３０６によって地板３０１に固定されており、電池１０１は電池押え３０３によって地板３０１から脱落しないように固定されている。
電池缶３０２及び電池押え３０３は磁性材料（例えば鉄系又はステンレス系の磁性材料）によって構成されており、各々、磁性体部材を構成している。
【００２０】
時刻針駆動用のステッピングモータ１０８はコイルブロック３０４−１、ロータ収容用貫通孔２０３−１を有するステータ２０１−１、ロータ収容用貫通孔２０３−１内に回転可能に配設されたロータ２０２−１を有している。カレンダ駆動用のステッピングモータ１０９はコイルブロック３０４−２、ロータ収容用貫通孔２０３−２を有するステータ２０１−２、ロータ収容用貫通孔２０３−２内に回転可能に配設されたロータ２０２−２を有している。クロノグラフ針駆動用のステッピングモータ１１０はコイルブロック３０４−３、ロータ収容用貫通孔２０３−３を有するステータ２０１−３、ロータ収容用貫通孔２０３−３内に回転可能に配設されたロータ２０２−３を有している。各ステッピングモータ１０８〜１０９は、ねじ３０６によって地板３０１内に固定されている。
【００２１】
特定のモータであるステッピングモータ１１０は、電池押え３０３を介して電池缶３０２に接続されている。また、ステッピングモータ１１０は、他のモータ（前記特定のモータ以外のモータ）であるステッピングモータ１０８、１０９よりも電池缶３０２に近い位置に配設されている。
前記特定のモータとしては、時刻針駆動用等のような常時回転動作をしているモータ以外のモータ（本実施の形態ではカレンダ駆動用ステッピングモータ１０９、クロノグラフ針駆動用ステッピングモータ１１０）が選択できる。また、前記他のモータとして選択されるモータには、少なくとも常時回転動作を行うモータ（本実施の形態では時刻針駆動用ステッピングモータ１０８）が含まれる。
【００２２】
係る構成により、外部磁界は、磁性材料によって形成されるとともに大きな面積を示す電池缶３０２に集まりやすくなり、電池缶３０２を通った外部磁束は電池押え３０３を介してステッピングモータ１１０に流れる。これにより、前記他のステッピングモータ１０８、１０９に流れる外部磁束を小さくすることができ、外部磁界が前記他のステッピングモータ１０８、１０９に与える影響を小さくすることができる。
【００２３】
図４は、ステッピングモータ１１０の部分構成図で、ステッピングモータ１１０のコイルブロック３０４−３を示している。図４において、ステッピングモータ１１０の磁心２０８の断面積Ｓを他のステッピングモータ１０８、１０９の断面積Ｓよりも大きくすることにより、磁心２０８の磁気抵抗が小さくなるように構成し、ステッピングモータ１１０の駆動力を大きくしている。また、磁心２０８の断面積Ｓを大きくすることによって飽和磁束のレベルを大きくすることにより、大きな駆動磁束を通せるようにして、磁界中の駆動力を大きくしている。
他のステッピングモータ１０８、１０９の磁心２０８は図７と同じであり、ステッピングモータ１１０の磁心２０８よりも断面積が小さく形成されている。
このようにして、モータの構造的な面からも、特定のステッピングモータ１１０の駆動力が他のステッピングモータ１０８、１０９よりも大きくなるように構成している。
【００２４】
計時して時刻表示を行う場合、発振回路１０３は所定周波数の基準クロック信号を発生し、分周回路１０４が発振回路１０３で発生した前記信号を分周して計時の基準となる時計信号を制御回路１０５に出力する。
制御回路１０５は、前記時計信号を計数して計時動作を行い、所定タイミング毎に時刻針（時紛秒針）を駆動するようにステッピングモータ駆動パルス回路１０６に制御信号を出力する。ステッピングモータ駆動パルス回路１０６は、前記制御信号に応答して時刻針駆動用のステッピングモータ１０８を常時回転駆動する。ステッピングモータ１０８は図示しない時刻針を回転駆動し、前記時刻針によって常時、現在時刻が表示される。
【００２５】
制御回路１０５は、日にちの表示変更が必要な時刻が到来したと判断すると、カレンダ機構（図示せず）を回転駆動するようにステッピングモータ１０９に制御信号を出力する。ステッピングモータ１０９は、前記制御信号に応答してカレンダ機構を一定時間のみ回転駆動して日にち表示を翌日に変更する。
制御回路１０５は、操作部（図示せず）によって時間計測開始操作が行われたと判断すると、時間計測動作を開始し、計測時間を表示するように所定タイミング毎にステッピングモータ駆動パルス回路１０６に制御信号を出力する。ステッピングモータ駆動パルス回路１０６は、前記制御信号に応答してステッピングモータ１１０を回転駆動する。これにより、ステッピングモータ１１０はクロノグラフ針を回転駆動して計測している時間を表示させる。
【００２６】
制御回路１０５は、操作部（図示せず）によって時間計測停止操作が行われたと判断すると、時間計測動作を停止し、ステッピングモータ１１０の駆動を停止するようにステッピングモータ駆動パルス回路１０６に制御信号を出力する。ステッピングモータ駆動パルス回路１０６は、前記制御信号に応答してステッピングモータ１１０の回転駆動を停止する。これにより、ステッピングモータ１１０は時間計測を行っている時間のみクロノグラフ針を回転駆動し、クロノグラフ針は計測した時間を表す位置で停止する。
【００２７】
一方、時間計測動作中に、磁界検出回路１０７はアナログ電子時計外部の磁界を検出しており、制御回路１０５は、磁界検出回路１０７が所定強度以上の外部磁界を検出したと判断すると、ステッピングモータ駆動パルス回路１０６に対して、所定強度以上の外部磁界を検出していないときの主駆動パルスよりも駆動エネルギの大きい所定駆動パルス（例えば主駆動パルスよりも駆動エネルギが大きい補正駆動パルス）に切り換えてステッピングモータ１１０を駆動するように制御信号を出力する。
【００２８】
ステッピングモータ駆動パルス回路１０６は、前記制御信号に応答して、所定駆動パルスによってステッピングモータ１１０を回転駆動する。これにより、所定強度以上の外部磁界が生じた場合でも、ステッピングモータ１１０の駆動力を大きくして、確実に回転駆動させることができる。この場合、大きなエネルギの駆動パルスで駆動するモータは、時刻針駆動用のステッピングモータ１０８のような常時駆動するモータではなく、計測時間やカレンダ機構駆動時間等の短時間駆動するモータであるため、消費電力の増大を小さく抑えることが可能になる。
【００２９】
尚、磁気検出回路１０７が所定強度以上の外部磁界を検出したときにのみ駆動パルスのエネルギを大きくするため、消費電力の増加を小さく抑えることが可能である。しかしながら、必ずしも磁気検出回路１０７を設ける必要はなく、ステッピングモータ１１０を回転駆動するとき常に大きなエネルギの駆動パルスで駆動するように構成してもよい。これにより、構成を簡略することが可能になる。
また、ステッピングモータ１１０の駆動力を大きくするために、駆動エネルギを大きくする構成および磁心２０８の磁気抵抗を小さくする構成を用いたが少なくともいずれか一方を用いるように構成してもよい。
また、電池缶３０２、電池押え３０３及び特定のモータ１１０を直接接続したが、空間を空けて間接的に接続するように構成してもよい。
【００３０】
以上述べたように本発明の第１の実施の形態に係るアナログ電子時計は、ムーブメントの地板３０１に、複数のモータ（時刻針駆動用のステッピングモータ１０８、カレンダ駆動用のステッピングモータ１０９、クロノグラフ針駆動用のステッピングモータ１１０）が搭載され、ステッピングモータ１１０は電池押え３０３を介して電池缶３０２に接続されている。ステッピングモータ１１０を、電池缶３０２及び電池押え３０３を介して他のステッピングモータ１０８、１０９よりも多くの外部磁界が通るように配設することによって他のステッピングモータ１０８、１０９が受ける外部磁界の影響を低減すると共に、ステッピングモータ１１０の駆動力をステッピングモータ１０８、１０９よりも大きくすることにより外部磁界が存在してもステッピングモータ１１０の回転駆動を安定させている。
【００３１】
即ち、本実施の形態に係るアナログ電子時計は、複数の表示部材を回転駆動する複数のモータ１０８〜１１０をムーブメントの地板３０１に搭載して成るアナログ電子時計において、前記複数のモータ１０８〜１１０以外に外部磁界が通る磁性部材（例えば電池缶３０２、電池押え３０３）を有し、特定のモータ１１０は、前記磁性部材を介して他のモータ１０８、１０９より多くの外部磁界が通るように配設されると共に、前記他のモータ１０８、１０９よりも駆動力が強いことを特徴としている。
【００３２】
ここで、前記特定のモータ１１０の駆動エネルギを他のモータ１０８、１０９よりも大きくして成るように構成することができる。
また、磁界を検出する磁界検出回路１０７と、磁界検出回路１０７が所定強度以上の磁界を検出したとき、前記特定のモータ１１０の駆動エネルギが他のモータ１０８、１０９よりも大きくなるように制御する制御手段とを備えるように構成してもよい。
【００３３】
また、前記各モータ１０８〜１１０は、磁心２０８と、磁心２０８に巻回されたコイル２０９と、コイル２０９に電流を供給することによって生じる磁界に基づいて回転するロータ２０２とを有して成り、前記特定のモータ１１０は前記他のモータ１０８、１０９よりも磁心２０８の磁気抵抗を小さくすることによって駆動力が大きくなるように構成してもよい。このとき前記特定のモータ１１０は、他のモータ１０８、１０９よりも磁心２０８の断面積Ｓを大きくすることによって磁気抵抗が小さくなるように構成してもよい。
【００３４】
したがって、本発明に係るアナログ電子時計によれば、特別な専用部材を使用することなく、簡単な構成で、モータに対する外部磁界の影響を低減することが可能になる。
また、複数モータを有するアナログ電子時計において、各モータに万全の磁界対策を施すのではなく特定のモータの駆動力を強化し、電池缶３０２等の磁気を受けやすい部材と前記特定のモータとを他のモータよりも磁気回路的により近接させ、前記他のモータに磁界の影響がおよび難くする磁気シールドをすることができる。
また、複数のモータを備えるアナログ電子時計において、サイズの大型化を抑え、外部磁界中での安定且つ確実な運針が可能となる等の効果を奏する。
【００３５】
図５は、本発明の第２の実施の形態に使用する特定のステッピングモータ１１０の部分構成図である。前記第１の実施の形態では磁心２０８の磁気抵抗を小さくするために断面積Ｓを大きくしたが、本第２の実施の形態では磁心２０８の長さＬを、他のステッピングモータ１０８、１０９の磁心２０８よりも短く構成している。その他の構成は前記第１の実施の形態と同じである。これによっても前記第１の実施の形態と同様の効果を奏することが可能になる。
【００３６】
図６は、本発明の第３の実施の形態に係るアナログ電子時計の内部を示す平面図である。
図６において、アナログ電子時計ムーブメントの地板３０１内には、電池１０１、時刻針駆動用のステッピングモータ１０８、カレンダ駆動用のステッピングモータ１０９、クロノグラフ針駆動用のステッピングモータ１１０の他に、アナログ電子時計の回路要素を搭載した絶縁性の回路基板６０２、回路基板６０２が地板３０１から脱落しないように取り付ける回路押え６０１を有している。回路押え６０１は、電池缶３０２と同様の磁性材料によって構成されており、磁性体部材を構成している。
【００３７】
回路基板６０２には、ステッピングモータ制御回路１０２を構成する集積回路６０３及び発振回路１０３を構成する水晶振動子６０４が搭載され、配線パターン６０５によってステッピングモータ１０８〜１１０と電気的に接続されている。
回路押え６０１、回路基板６０２は、ステッピングモータ１０８〜１１０と同様に、ねじ３０６によって地板３０１に固定されている。
特定のモータであるステッピングモータ１１０は、回路押え６０１に接続されている。また、ステッピングモータ１１０は、他のモータであるステッピングモータ１０８、１０９よりも電池缶３０２や回路押え６０１に近い位置に配設されている。
【００３８】
ステッピングモータ１１０は、前述した各実施の形態と同様に、他のステッピングモータ１０８、１０９よりも、エネルギの大きい駆動パルスによって駆動する、磁心２０８の磁気抵抗を小さくする等によって駆動力を大きくしている。
これにより、本第３の実施の形態によれば、前記各実施の形態と同様に、特別な専用部材を使用することなく、簡単な構成で、モータに対する外部磁界の影響を低減することが可能になる。
【００３９】
図８は、本発明の第４の実施の形態に係るアナログ電子時計に使用するステッピングモータの部分構成図である。
本第４の実施の形態では、特定のモータであるステッピングモータ１１０は、他のモータであるステッピングモータ１０８、１０９よりも駆動用のコイル２０９の巻数が多く構成されることによって、前記他のモータよりも駆動力が大きくなるように構成されている。前記他のモータのコイル２０９は巻数が少ないため磁心２０８にコイル２０９を巻回した部分は図７に示すように細いが、前記特定のモータの磁心２０８にコイル２０９を巻回した部分は前記他のモータに比べて巻数が多いため、図８に示すように前記他のモータのそれに比べて太くなっている。
【００４０】
このように、各モータ１０８〜１１０は、磁心２０８と、磁心２０８に巻回されたコイル２０９と、コイル２０９に電流を供給することによって生じる磁界に基づいて回転するロータ２０２とを有する構成であり、前記特定のモータであるステッピングモータ１１０は、前記他のモータであるステッピングモータ１０８、１０９よりもコイル２０９の巻数が多く構成されることによって、前記他のモータよりも駆動力が大きくなるように構成されている。
これにより、本第４の実施の形態に係るアナログ電子時計は、特別な専用部材を使用することなく、簡単な構成で、モータに対する磁界の影響を低減することが可能になる等の効果を奏する。
【００４１】
図１０〜図１２、図１４、図１５に示す実施の形態は、各モータ１０８〜１１０は、磁心２０８と、磁心２０８に巻回された駆動用のコイル２０９と、円柱型のロータ磁石を有しコイル２０９に電流を供給することによって生じる磁界に基づいて回転するロータ２０２とを備え、特定のモータであるステッピングモータ１１０は、他のモータであるステッピングモータ１０８、１０９よりもコギングトルクが小さく構成されることによって、前記他のモータよりも駆動力が大きくなるように構成した例である。
【００４２】
図１０〜図１２に示す実施の形態では、前記特定のモータは、前記他のモータよりもロータ２０２のロータ磁石の体積が小さく構成されることによって、前記他のモータよりもコギングトルクが小さくなるように構成されている。具体的には、前記特定のモータは、前記他のモータよりもロータ磁石の外径を小さくする、内径を大きくするまたは厚みを薄くするの少なくとも一つを実施することによってロータ磁石の体積が小さくなるように構成されている。
【００４３】
図１０は、本発明の第５の実施の形態に係るアナログ電子時計に使用するステッピングモータのロータを示す側面図である。
図９に示す従来のステッピングモータのロータ２０２のように、前記他のモータであるステッピングモータ１０８、１０９のロータ２０２は、回転軸９０１及び回転軸９０１に取り付けられた円柱型のロータ磁石９０２を有するように構成されている。
【００４４】
図１０に示す第５の形態では、特定のモータであるステッピングモータ１１０のロータ２０２は、図９のロータ２０２に比べて厚みの薄い円柱型のロータ磁石１００１を回転軸９０１に取り付けた構成となっている。これにより、特定のモータを他のモータよりもコギングトルクが小さくなるように構成している。
【００４５】
図１１は、本発明の第６の実施の形態に係るアナログ電子時計に使用するステッピングモータのロータを示す側面図である。
図１１に示す第６の形態では、特定のモータであるステッピングモータ１１０のロータ２０２は、図９のロータ２０２に比べて、内径（回転軸９０１が通過する孔の径）の大きい円柱型のロータ磁石１１０１を回転軸９０１に取り付けた構成となっている。これにより、特定のモータを他のモータよりもコギングトルクが小さくなるように構成している。
【００４６】
図１２は、本発明の第７の実施の形態に係るアナログ電子時計に使用するステッピングモータのロータを示す側面図である。
図１２に示す第７の形態では、特定のモータであるステッピングモータ１１０のロータ２０２は、図９のロータ２０２に比べて外径の小さい円柱型のロータ磁石１２０１を回転軸９０１に取り付けた構成となっている。これにより、特定のモータを他のモータよりもコギングトルクが小さくなるように構成している。
尚、前記特定のモータは、前記他のモータよりもロータ磁石の磁石エネルギ（着磁力）が小さい材料で構成されることによって、前記他のモータよりもコギングトルクが小さくなるように構成するようにしてもよい。
【００４７】
図１４、図１５に示す実施の形態では、ステータ２０１の形状を変えることにより、特定のモータは他のモータよりもコギングトルクが小さくなるように構成されている。
図１４は、本発明の第８の実施の形態に係るアナログ電子時計に使用するステッピングモータのステータ２０１を示す部分平面図である。
図１３に示す従来のステッピングモータのステータ２０１のように、前記他のモータであるステッピングモータ１０８、１０９のステータ２０１は、磁心２０８に接続され又、ロータ２０２を回転可能に収容するロータ収容用貫通孔２０３及びロータ２０２を所定位置に保持するための内ノッチ２０４、２０５を有している。
【００４８】
図１４に示す第８の形態では、特定のモータであるステッピングモータ１１０の内ノッチ１４０１、１４０２は、前記他のモータであるステッピングモータ１０８、１０９の内ノッチ（図１３の内ノッチ２０４、２０５）に比べて小さく形成されている。これにより、特定のモータを他のモータよりもコギングトルクが小さくなるように構成している。
【００４９】
図１５は、本発明の第９の実施の形態に係るアナログ電子時計に使用するステッピングモータのステータ２０１を示す部分平面図である。
図１５に示す第９の形態では、特定のモータであるステッピングモータ１１０のロータ収容用貫通孔１５０１は、図１３のロータ収容用貫通孔２０３に比べて大きく形成されている。これにより、特定のモータは他のモータよりもコギングトルクが小さくなるように構成されている。
【００５０】
更に他の実施の形態として、前記特定のモータは、前記他のモータよりも磁心２０８が磁気的に効率の良い材料で構成されることによって、前記他のモータよりも駆動力が大きくなるように構成してもよい。
例えば、前記特定のモータの磁心２０８は４５％パーマロイによって構成し、前記他のモータの磁心は３８％パーマロイあるいは４２％パーマロイによって構成する。４５％パーマロイは、３８％パーマロイや４２％パーマロイに比べて、飽和磁束密度が大きい材料であり又、透磁率が大きい材料である。したがって、前記特定モータの磁心２０８を、飽和磁束密度が大きい材料又は透磁率が大きい材料の少なくとも一方で構成することにより、特定モータの駆動力を他のモータよりも強くすることができる。
【００５１】
特定モータ磁心２０８を４５％パーマロイで構成し、他のモータを３８％パーマロイ又は４２％パーマロイで構成することにより、飽和磁束密度と透磁率の双方を大きくすることが可能であるが、磁心２０８の材料を適宜選択することにより、飽和磁束密度と透磁率の少なくとも一方を大きくするように構成してもよい。
【００５２】
尚、前述したいずれか複数の実施の形態を、相反しない範囲で組み合わせるように構成してもよく、これにより更に大きな効果を得ることが可能である。
また、前記各実施の形態では、特定モータとしてクロノグラフ針駆動用のステッピングモータ１１０、他のモータとしてカレンダ駆動用のステッピングモータ１０９や時刻針駆動用のステッピングモータ１０８の例をあげたが、特定モータや他のモータとして、アナログ電子時計の構成に応じたモータを選定することができる。
この場合、外部磁気の影響は一時的な場合が多いため、特定モータとしては駆動時間が少ないモータを選択し、他のモータとして駆動時間が長いモータを含むように構成することにより、外部磁界の影響をより効果的に抑制することが可能になる。
【００５３】
また、前記各実施の形態ではモータが３つの例で説明したが、２つ以上のモータを有するアナログ電子時計に適用可能である。
また、駆動パルスのエネルギを変えるためにパルス幅を変えるようにしてもよく、あるいは、パルス自体を櫛歯波にし、そのＯＮ／ＯＦＦデューティを変えたり、パルス電圧を変える等によっても、エネルギを変えるようにしてもよい。
【産業上の利用可能性】
【００５４】
また、本発明に係る電子時計は、カレンダ機能付きアナログ電子時計、クロノグラフ時計等の複数のモータを有するアナログ電子時計に適用可能である。
【符号の説明】
【００５５】
１０１・・・電池
１０２・・・ステッピングモータ制御回路
１０３・・・発振回路
１０４・・・分周回路
１０５・・・制御回路
１０６・・・ステッピングモータ駆動パルス回路
１０７・・・磁界検出回路
１０８〜１１０・・・ステッピングモータ
２０１・・・ステータ
２０２・・・ロータ
２０３、１５０１・・・ロータ収容用貫通孔
２０４、２０５、１４０１、１４０２・・・切り欠き部（内ノッチ）
２０６、２０７・・・切り欠き部（外ノッチ）
２０８・・・磁心
２０９・・・コイル
２１０、２１１・・・可飽和部
３０１・・・地板
３０２・・・電池缶
３０３・・・電池押え
３０４・・・コイルブロック
３０５・・・巻真
３０６・・・ねじ
４０１・・・ねじ孔
６０１・・・回路押え
６０２・・・回路基板
６０３・・・集積回路
６０４・・・水晶振動子
６０５・・・配線パターン
９０１・・・回転軸
９０２、１００１、１１０１、１２０１・・・ロータ磁石
ＯＵＴ１・・・第１端子
ＯＵＴ２・・・第２端子
【図１】
2012150094.tif 000003
【図２】
2012150094.tif 000004
【図３】
2012150094.tif 000005
【図４】
2012150094.tif 000006
【図５】
2012150094.tif 000007
【図６】
2012150094.tif 000008
【図７】
2012150094.tif 000009
【図８】
2012150094.tif 000010
【図９】
2012150094.tif 000011
【図１０】
2012150094.tif 000012
【図１１】
2012150094.tif 000013
【図１２】
2012150094.tif 000014
【図１３】
2012150094.tif 000015
【図１４】
2012150094.tif 000016
【図１５】
2012150094.tif 000017